【事件の表示】
　平成　１年特許願第１３２３７９号「画像入出力装置を備えたスチルビデオ装置」拒絶査定に対する審判事件［平成　２年１２月２５日出願公開、特開平　２−３０９８７４］について、次のとおり審決する。
【結　論】
　本件審判の請求は、成り立たない。
【理　由】
I【手続きの経緯、本願発明の要旨】
　本願は、平成１年５月２５日の出願であって、その請求項１に係る発明（以下「本願発明」という。）は、平成１２年７月２４日付けの手続補正書により補正された明細書及び図面の記載からみて、特許請求の範囲の請求項１に記載された次のとおりのものである。
「（１）アナログ画像信号を記録媒体に記録し、この記録媒体に記録したアナログ画像信号を再生する記録再生装置を備えたスチルビデオ装置において、
　上記記録再生装置が再生したアナログ画像信号を所定のデジタル画像信号に変換するＡ／Ｄ変換器と、
　該Ａ／Ｄ変換器が変換したデジタル画像信号を外部画像処理装置で処理可能な画像データに変換するインターフェースラインドライバと、
　上記外部画像処理装置に直接接続することで上記外部画像処理装置との間で画像データを入出力可能とする、上記インターフェースラインドライバに接続されたインターフェースコネクタとを内蔵し、
　上記スチルビデオ装置はさらに、
　上記外部画像処理装置から上記インターフェースコネクタおよび上記インターフェースラインドライバを介して入力した画像データをデジタル画像信号に変換するデジタル信号処理手段と、
　該デジタル信号処理手段により変換されたデジタル画像信号をアナログ画像信号に変換するＤ／Ａ変換器とを内蔵し、
　該Ｄ／Ａ変換器が変換したアナログ画像信号を上記記録再生装置が上記記録媒体に記録すること、を特徴とする画像入出力装置を備えたスチルビデオ装置。」
II【引用例】
　これに対して、当審において平成１２年５月１２日付けで通知した拒絶の理由で引用した特開昭６１−１９６４６６号公報（以下「引用例」という。）には、「映像信号記録再生装置」（発明の名称）に関し、図面と共に次のとおりの記載がある。
１．「（１）画像情報からなる映像信号を記録媒体へ記録し再生する映像信号記録再生装置であって、
　前記記録媒体に記録された映像信号または新たな画像入力信号から１画面分の画像情報を選択または選択的に抽出する選択・抽出手段と、
　前記選択・抽出手段により選択・抽出された１画面分の画像情報を記憶し得る記憶手段とを含むものにおいて、
　当該映像信号記録再生装置の外部に設けられた外部装置との間で制御信号および画像情報の通信を行う通信手段と、
　前記通信手段を通じて前記外部装置から送られてきた画像転送要求制御信号に応じて、その後に外部装置から転送されてくる画像情報を前記記憶手段に書込むように制御するメモリアクセス制御手段とを備えることを特徴とする、映像信号記録再生装置。
 （２）前記外部装置はパーソナルコンピュータである、特許請求の範囲第１項記載の映像信号記録再生装置。」（特許請求の範囲）
２．「この発明は映像信号記録再生装置に関し、特に、記録媒体からの再生映像信号または外部からの映像入力信号を記憶し得るメモリを有し、このメモリと外部装置との間で通信を行なう通信機能を有することにより、パーソナルコンピュータ等の外部装置から画像情報を入力し得て記憶し得るような映像信号記録再生装置に関する。」
（公報第１頁右下欄第７行〜第１３行）
３．「外部映像入力端子１１には、外部から映像信号が入力される。入力された映像信号は記録系ブロック１０に与えられる。この記録系ブロック１０は輝度信号通過フィルタ１２と、色信号通過フィルタ１３と、低域変換器１４と、切換スイッチ１５１、１５２からなる記録源切換スイッチ１５と、ＦＭ変調器１６と、加算回路１７とを含んで構成される。」（公報第２頁左上欄第４行〜第１１行）
４．「Ａ／Ｄ変換器５１は切換スイッチ５８で選択された記憶すべき輝度信号をＡ／Ｄ変換するものであり、Ａ／Ｄ変換器５２は切換スイッチ５９によって選択された記憶すべき低域変換色信号をＡ／Ｄ変換するものである。輝度信号メモリ５３はＡ／Ｄ変換器５１によってディジタル化された輝度信号を記憶するものであり、色信号メモリ５４はＡ／Ｄ変換器５２によってディジタル化された低域変換色信号を記憶するものである。Ｄ／Ａ変換器５５は輝度信号メモリ５３から読出されたディジタル信号またはＡ／Ｄ変換器５１によってディジタル化された輝度信号をＤ／Ａ変換するものである。Ｄ／Ａ変換器５６は色信号メモリ５４から読出されたディジタル信号またはＡ／Ｄ変換器５２によってディジタル化された色信号をＤ／Ａ変換するものである。なお、映像信号メモリブロック５０の記憶動作および読出動作は記憶指令スイッチ６１からの指令に応じて制御回路６２によって制御される。」（公報第３頁左上欄第９行〜右上欄第７行）
５．「さらに、上述のＦＭ復調器３６の出力と低域色信号通過フィルタ３５の各出力信号はメモリ源切換スイッチ５７にも与えられる。このメモリ源切換スイッチ５７に含まれる切換スイッチ５８、５９はそれぞれ接点Ｊ側に切換えられている。したがって、ＦＭ復調器３６の出力信号と低域色信号通過フィルタ３５のそれぞれの出力信号は映像信号メモリブロック５０に入力される。すなわち、ＦＭ復調された輝度信号はＡ／Ｄ変換器５１によってディジタル化された後、再びＤ ／Ａ変換器５５によってアナログ信号に変換される。また、低域色信号はＡ／Ｄ変換器５２によってディジタル化された後、再びＤ ／Ａ変換器５６によってアナログ信号に変換される。Ｄ ／Ａ変換器５５の出力は切換スイッチ３７１に入力され、Ｄ ／Ａ変換器５６の出力は切換スイッチ３７２に入力される。この状態において、再生源切換スイッチ３７に含まれる切換スイッチ３７１、３７２をそれぞれ接点ｅ側に切換えると、外部モニタディスプレイには、Ａ／Ｄ変換器５１、５２およびＤ ／Ａ変換器５５、５６を通過したＣＯＤＥＣと呼ばれる再生画像が表示される。」（公報第３頁右下欄第１５行〜第４頁左上欄第１６行）
６．「制御回路６２は輝度信号メモリ５３および色信号メモリ５４にそれぞれ記憶された１フィールド分の映像信号を練返し読出し続けるため、外部のモニタディスプレイには、輝度信号メモリ５３および色信号メモリ５４に取込んだ１枚のスチール画像が表示される。すなわち、スチル再生が行われることになる。以下、このモードをメモリスチルと称する。また、この操作を間欠的に行うことによりスロー再生を行なう。」（公報第４頁左下欄第１行〜第９行）
７．「次に、メモリアクセス制御回路７３は、ステップＳＰ４において、制御回路６２からのメモリアクセスの競合を制御しながらポインタが示すアドレスのデータをメモリからフェッチ（ｆｅｔｃｈ)してくる。次に、ステップＳＰ５において、このデータをＲＳ−２３２Ｃインターフェイス回路７２に送る。ＲＳ−２３２Ｃインターフェイス回路７２は、このデータをパラレル−シリアル変換し、スタートビット、ストップビット、パリティビットの付加などによりフォーマットを整え、ＲＳ−２３２Ｃインターフェイスコネクタ７１を介して外部装置に送る。」（公報第４頁右下欄第１５行〜第５頁左上欄第６行）
８．「次に、第１図および第４図を参照して、この発明の一実施例の具体的な動作について説明する。前述の第２図で説明したように、この第１図に示すＶＴＲにおいても、磁気テープ２４からの再生映像信号あるいは外部映像信号の１フィールド分を輝度信号メモリ５３および色信号メモリ５４に記憶させることができる。
　次に、映像信号メモリブロック５０内の画像情報を外部装置に送る手順、動作について説明する。まず、ＲＳ−２３２Ｃインターフェイスを有する外部装置、たとえばパーソナルコンピュータにおいて、ＶＴＲ側から外部装置への画像情報の転送要求を発生させる。ＶＴＲ側のメモリアクセス制御回路７４は、第４図に示すステップＳＰ１において、外部からの転送要求の有無を絶えず判別している。そして、転送要求があれば、ステップＳＰ２に進むが、ここからの処理は既に第３図で説明したステップＳＰ２以後の処理と同じであるのでその説明を省略する。なお、外部装置側からは、１フィールド分の画像の転送を要求してもよいし、その一部分の転送を要求してもよい。
　ところで、外部装置としてパーソナルコンピュータを用いた場合には、上述のようにしてＶＴＲから取込んだ画像データをパーソナルコンピュータ側で利用可能な形態に変換した後、豊富なグラフィックス機能を用いてたとえば２値階調画像にしたり、あるいはモザイク画像にしたり、あるいは特定調度の部分に特定の色彩を付けるなどしたり、さらにはタイトル画像を作成することができる。」（公報第５頁右下欄第８行〜第６頁左上欄第１８行）
９．「次に、ＲＳ−２３２Ｃインターフェイス回路７２はＲＳ−２３２Ｃインターフェイスコネクタ７１から入力されてきたシリアルデータをスタートビット、ストップビット、パリティビットのチェックの後、映像信号メモリブロック５０に適合するパラレルデータに変換してメモリアクセス制御回路７４に送る。これは、ＲＳ−２３２Ｃインターフェイス回路７２のハードウェア動作で行なう。次に、メモリアクセス制御回路７３は、ステップＳＰ１１において、ＲＳ−２３２Ｃインターフェイス回路７２からのデータを受取る。」（公報第６頁右上欄第１６行〜同頁左下欄第６行）
１０．「外部装置からは、外部装置への転送要求あるいはＶＴＲへの転送要求を意味するところの予め定められた制御コードをＶＴＲ側へ送った後、先頭メモリアドレス、転送データ数を、次に画像データをこの順にデータフォーマットを整え、ＲＳ−２３２Ｃインターフェイスを介してＶＴＲ側に送ればよい。
　以上のようにしてＶＴＲ側の映像信号メモリブロック５０に送られた静止画像情報（たとえばタイトル画像情報）は、既に先行技術例の説明で述べたとおり、今度はＶＴＲ側の操作により、記録源切換スイッチ１５を接点ｂ側に切換えることにより、磁気テープ２４上の所望の箇所に所望の時間だけ記録することができる。したがって、磁気テープ２４にはタイトル画像等が挿入されることになる。」（公報第６頁左下欄第２０行〜右下欄第１５行）
１１．「なお、上述の実施例では、外部装置とのディジタル信号の通信手段にＲＳ−２３２Ｃインターフェイス回路７２を用いたが、他の形式のインターフェイスたとえばＩＥＥＥ−４８８インターフェイス回路などを用いてもよい。
　また、上述の実施例では記録媒体として磁気テープの場合を説明したが、記録媒体は磁気テープに限定されることはなく、たとえば記録再生可能な円盤状の記録媒体を用いてもよい。」（公報第７頁左上欄第３行〜第１１行）
III【対比】
　そこで、本願発明と引用例に記載の発明とを対比すると次のことが認められる。
（１）引用例には、外部入力端子１１に入力された映像信号を磁気テープ２４へ記録し再生する映像信号記録再生装置が記載されており（引用例の上記１．〜３．の記載参照）、また制御回路６２は、輝度信号メモリ５３および色信号メモリ５４にそれぞれ記憶された１フィールド分の映像信号を繰返し読出し続け、１枚のスチール画像を表示すること、すなわちスチル再生を行うことが記載されている（引用例の上記６．の記載参照）。
　それらの記載によると、引用例に記載のものも“アナログ画像信号を記録媒体に記録し、この記録媒体に記録したアナログ画像信号を再生する記録再生装置を備えたスチルビデオ装置”を対象としているといえ、その点では、本願発明と変わりがない。
（２）引用例には、ＦＭ復調された輝度信号、色信号はＡ／Ｄ変換器５１、５２によってディジタル化された後、輝度信号メモリ５３、色信号メモリ５４に記憶され、またＤ／Ａ変換器５５、５６によってアナログ信号に変換されることが記載されており（引用例の上記４．５．の記載参照）、その「Ａ／Ｄ変換器５１、５２」、「Ｄ／Ａ変換器５５、５６」が、それぞれ本願発明の「Ａ／Ｄ変換器」、「Ｄ／Ａ変換器」に対応するものといえる。
（３）引用例には、メモリからのデータをインターフェース回路７２に送り、インターフェース回路７２は、このデータをパラレル−シリアル変換し、スタートビット、ストップビット、パリティビットの付加などによりフォーマットを整え、インターフェースコネクタ７１を介してパーソナルコンピュータ等の外部装置に送ることが記載されており（引用例の上記７．８．１１．の記載参照）、そこに記載の「インターフェース回路７２」、「インターフェースコネクタ７１」が、それぞれ本願発明の「インターフェースラインドライバ」、「インターフェースコネクタ」に対応するものといえ、引用例に記載のものも、本願発明でいう“該Ａ／Ｄ変換器が変換したデジタル画像信号を画像データに変換するインターフェースラインドライバと、上記外部画像処理装置に直接接続することで上記外部画像処理装置との間で画像データを入出力可能とする、上記インターフェースラインドライバに接続されたインターフェースコネクタ”を有するものといえる。
（４）引用例には、インターフェース回路７２は、パーソナルコンピュータ等の外部装置からインターフェースコネクタ７１を介して入力されてきたシリアルデータをスタートビット、ストップビット、パリティビットのチェックの後、映像信号メモリブロック５０に適合するパラレルデータに変換してメモリアクセス制御回路７４に送り、メモリアクセス制御回路７４は、このデータをメモリに書込むことが記載されている（引用例の上記９．〜１１．の記載参照）。
　それらの記載によると、引用例に記載のインターフェース回路は、外部装置へ出力する際にパラレル−シリアル変換するためのインターフェイス回路と兼用しているものか否かはともかくとして、パーソナルコンピュータ等の外部装置からインターフェースコネクタを介して入力されてきたシリアルデータを映像信号メモリブロックに適合するパラレルデータに変換するものであり、この変換処理は、画像データをデジタル的に処理してデジタル画像信号に変換するものといえるから、引用例に記載のものも本願発明でいう“上記外部画像処理装置から上記インターフェースコネクタを介して入力した画像データをデジタル画像信号に変換する手段”を有するものといえ、その点では本願発明のものと変わりがない。
（５）以上の（１）〜（４）の点を踏まえると、両者は、「アナログ画像信号を記録媒体に記録し、この記録媒体に記録したアナログ画像信号を再生する記録再生装置を備えたスチルビデオ装置において、
　上記記録再生装置が再生したアナログ画像信号を所定のデジタル画像信号に変換するＡ／Ｄ変換器と、
　該Ａ／Ｄ変換器が変換したデジタル画像信号を画像データに変換するインターフェースラインドライバと、
　上記外部画像処理装置に直接接続することで上記外部画像処理装置との間で画像データを入出力可能とする、上記インターフェースラインドライバに接続されたインターフェースコネクタとを内蔵し、
　上記スチルビデオ装置はさらに、
　上記外部画像処理装置から入力した画像データをデジタル画像信号に変換する手段と、
　該手段により変換されたデジタル画像信号をアナログ画像信号に変換するＤ／Ａ変換器とを内蔵し、
　該Ｄ／Ａ変換器が変換したアナログ画像信号を上記記録再生装置が上記記録媒体に記録すること、を特徴とする画像入出力装置を備えたスチルビデオ装置。」である点で一致し、次の点で一応相違する。
１．インターフェースラインドライバが、本願発明では、デジタル画像信号を「外部画像処理装置で処理可能な」画像データに変換するものであるのに対して、引用例には、インターフェイス回路が、メモリからのデータをパラレル−シリアル変換し、スタートビット、ストップビット、パリティビットの付加などによりフォーマットを整え、インターフェースコネクタを介して外部装置に送ることは記載されているが、そのインターフェイス回路が、外部装置に処理可能な画像データに変換することについては記載がない点（相違点１）。
２．画像データをデジタル画像信号に変換する手段が、本願発明では、上記外部画像処理装置から「上記インターフェースコネクタおよび上記インターフェースラインドライバを介して」入力した画像データをデジタル画像信号に変換する「デジタル信号処理手段」であるのに対して、引用例に記載のものは、パーソナルコンピュータ等の外部装置からインターフェースコネクタを介して入力されてきたシリアルデータを、映像信号メモリブロックに適合するパラレルデータに変換するインターフェース回路である点（相違点２）。
IV【当審の判断】
　次に、上記各相違点について検討する。
（相違点１について）
　Ａ／Ｄ変換器からのディジタル画像信号を外部画像処理装置で処理可能な画像データに変換する画像インターフェイス技術は、例えば特開昭６３−２６０３５５号公報にも示されているように普通に知られており、引用例に記載のインターフェース回路が、本願発明のようなデジタル画像信号を「外部画像処理装置で処理可能な」画像データに変換することは当業者が容易になし得ることといえる。
（相違点２について）
　上記IIIの（４）でも述べたように、引用例には、インターフェース回路が、パーソナルコンピュータ等の外部装置からインターフェースコネクタを介して入力されてきたシリアルデータを、映像信号メモリブロックに適合するパラレルデータに変換することが記載されており、そのインターフェース回路は、画像データをデジタル的に処理してデジタル画像信号に変換するものといえるから、このものに、本願発明のような「デジタル信号処理手段」を備えさせる程度のことは当業者が容易になし得ることといえ、これに伴い、本願発明のように、「上記インターフェースコネクタおよび上記インターフェースラインドライバを介して」入力した画像データをデジタル画像信号に変換するようになすことも、本願発明が、インターフェースラインドライバおよびインターフェースコネクタを介して画像データを外部装置へ出力するためのインターフェースを備えることを勘案すると自然のことといえる。
　そして、本願発明の効果についてみても格別顕著なものがあるとはいえない。
V【むすび】
　したがって、本願発明は、上記引用例に記載された発明に基づいて当業者が容易に発明をすることができたものと認められるので、特許法第２９条第２項の規定により特許を受けることができない。
　なお、他の請求項２に記載された発明について論及するまでもなく、本願は拒絶すべきものである。
　よって、結論のとおり審決する。